(57)【要約】【課題】挿入する紙片等の付属シートが、従来のポケット部よりも挿入しやすく、また、脱落しにくく、しかも、低コストな冊子を提供する。【解決手段】冊子１０は、冊子本体１１と、申込書（付属シート）１２と、再剥離糊（仮止め部、擬似接着構造）１３等とを備え、冊子本体１１は、複数のページからなるカタログであり、積み重ねられた４つの紙片１１−１〜１１−４が、各紙片の中央付近に天辺から地辺までに設けられた水系ライン糊（水系の接着手段）１１ａによって綴じ合わされており、申込書１２は、この冊子１０に付属されるシートであり、再剥離糊１３は、申込書１２を一時的に仮止めするための再剥離再接着が可能な糊であり、この冊子１０の冊子本体１１及び申込書１２は、大豆の成分が含まれる大豆油インキ（植物系のインキ）によって各情報が印刷されている。【選択図】図１
2005305716.tif 000002
【特許請求の範囲】
【請求項１】
複数のページからなる冊子本体と、
この冊子に付属される付属シートと、
前記冊子本体の少なくとも一部に設けられ、前記付属シートを仮止めする仮止め部と、
を備える冊子。
【請求項２】
複数のページからなる冊子本体と、
前記冊子本体の少なくとも一部に設けられ、この冊子に付属される付属シートを仮止めする仮止め部と、
を備える冊子。
【請求項３】
請求項１又は請求項２に記載の冊子において、
前記仮止め部は、再剥離再接着が可能な擬似接着構造であること、
を特徴とする冊子。
【請求項４】
請求項３に記載の冊子において、
前記擬似接着構造を使用時まで保護する保護シートを備えること、
を特徴とする冊子。
【請求項５】
請求項１から請求項４までのいずれか１項に記載の冊子において、
前記冊子本体は、水系及び／又は加熱系の接着手段によって綴じ合わされていること、
を特徴とする冊子。
【請求項６】
請求項１から請求項５までのいずれか１項に記載の冊子において、
植物系のインキによって情報が印刷されていること、
を特徴とする冊子。
【発明の詳細な説明】
【技術分野】
【０００１】
本発明は、キャンペーン用のカタログ等に好適な冊子に関するものである。
【背景技術】
【０００２】
従来、最終枚目にポケット部を設けた冊子が実用化されている（例えば、特許文献１）。
このポケット部は、例えば、自動車の新車カタログ等であれば、オプショナルパーツ用のカタログや、新車価格表といったものを挿入して利用されている。
【０００３】
ポケット部に挿入する紙片は、あらかじめ冊子の中に印刷しておく、という方法もあるが、自動車の新車カタログは、都道府県単位や販売店単位で販売価格が異なる場合があるので、別途用意しておくことが多い。
【０００４】
さて、このポケット部は、通常、冊子の外縁の下部に接する形状で設けられている。
その理由は、ポケット部の下側と外側（冊子の前小口側）に支えがあれば、２つ折りされた冊子として持ち歩く場合に、内側（冊子の背側）には支えがあるため、残る一辺の上側だけを注意すれば、挿入した紙片が容易に脱落することがないからである。
【０００５】
当然、上側にも支えを用意しておけば、ポケット部に挿入した紙片は脱落せず、都合がよいのであるが、その一方で、紙片を挿入しにくくなる、といった弊害を生じる。
【０００６】
１部や２部しか使用しないのであれば、それほど問題になることはないが、キャンペーンのように、一時的に大量に使用するもの（新車販売も一種のキャンペーン）の場合は、機械化したとしても経済的な合理性が低く、結局は、紙片の挿入作業は、手作業に頼らざるを得なかった。
【特許文献１】特開２００１−２９２８３１号公報
【発明の開示】
【発明が解決しようとする課題】
【０００７】
本発明の課題は、挿入する紙片等の付属シートが、従来のポケット部よりも挿入しやすく、また、脱落しにくく、しかも、低コストな冊子を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、複数のページからなる冊子本体（１１）と、この冊子に付属される付属シート（１２）と、前記冊子本体（１１）の少なくとも一部に設けられ、前記付属シートを仮止めする仮止め部（１３）と、を備える冊子である。
【０００９】
請求項２の発明は、複数のページからなる冊子本体（１１）と、前記冊子本体（１１）の少なくとも一部に設けられ、この冊子に付属される付属シート（１２）を仮止めする仮止め部（１３）と、を備える冊子である。
【００１０】
請求項３の発明は、請求項１又は請求項２に記載の冊子において、前記仮止め部（１３）は、再剥離再接着が可能な擬似接着構造であること、を特徴とする冊子である。
【００１１】
請求項４の発明は、請求項３に記載の冊子において、前記擬似接着構造を使用時まで保護する保護シートを備えること、を特徴とする冊子である。
【００１２】
請求項５の発明は、請求項１から請求項４までのいずれか１項に記載の冊子において、前記冊子本体（１１）は、水系及び／又は加熱系の接着手段（１１ａ）によって綴じ合わされていること、を特徴とする冊子である。
【００１３】
請求項６の発明は、請求項１から請求項５までのいずれか１項に記載の冊子において、植物系のインキによって情報が印刷されていること、を特徴とする冊子である。
【発明の効果】
【００１４】
本発明によれば、仮止め部によって付属シートを仮止めしているので、従来のポケット部を形成する必要がなくなり、付属シートを挿入しやすく、不用意な脱落も防止でき、また、製造コストも抑えることができる。
【発明を実施するための最良の形態】
【００１５】
本発明は、挿入する紙片等の付属シートが、従来のポケット部よりも挿入しやすく、また、脱落しにくく、しかも、低コストな冊子を提供するという目的を、水系ライン糊によって綴じ合わされた冊子本体に、再剥離糊を用いて申込書を仮止めすることにより実現する。
【実施例】
【００１６】
以下、図面等を参照して、本発明の実施例について、さらに詳しく説明する。
図１は、本発明による冊子の実施例を示す図である。
本実施例の冊子１０は、冊子本体１１と、申込書（付属シート）１２と、再剥離糊（仮止め部、擬似接着構造）１３等とを備える。
【００１７】
冊子本体１１は、複数のページからなるカタログであり、積み重ねられた４つの紙片１１−１〜１１−４が、各紙片の中央付近に天辺から地辺までに設けられた水系ライン糊（水系の接着手段）１１ａによって綴じ合わされている。
水系ライン糊１１ａは、水で湿らせると接着性を示す糊（再湿性接着剤）であり、例えば、アラビアゴム、カゼイン、デンプン、ポリビニルアルコール、ポリビニルピロリドン、ポリビニルエーテル、ポリアクリル酸塩等の水溶性高分子物質である。
なお、水系ライン糊１１ａは、水系エマルションを用いてもよい。この場合は、塩化ビニル酢酸ビニル共重合体、ＥＶＡ（エチレン酢酸ビニル共重合体）、アクリル樹脂、ポリウレタン樹脂等の熱可塑性のものが好適に使用できる。
【００１８】
ここで、ライン糊とは、ノズルやディスペンサから糊を紙片に押し出し、その紙片を動かして『ライン状』（糊の押し出しを間欠状にすれば点線状）に形成した糊である。
これに対して、フレキソ印刷や活版印刷、グラビア印刷、シルクスクリン印刷等の従来型の印刷方式で糊を塗布する『パターン糊』と呼ばれるものもあり、このパターン糊は、版の形状を工夫すれば任意のパターン形状で糊を塗布できる。
【００１９】
当然、本実施例の水系ライン糊１１ａは、パターン糊でも構わないが、あえてライン糊とした理由は、一般のコレータには、パターン糊を塗布するユニットが１箇所／台しかなく、複数枚の紙片を重ね合わせることが困難だからである。
ライン糊の場合は、インキのタンクから分岐したノズルを増やすだけなので、増設がとても容易であり、製造しやすい。
【００２０】
申込書１２は、この冊子１０に付属されるシートであり、本実施例では、『お客様カードお申込書』となっている。
【００２１】
再剥離糊１３は、冊子本体１１の紙片１１−４の水系ライン糊１１ａの右側に帯状に設けられ、申込書１２を一時的に仮止めするための再剥離再接着が可能な糊である。
【００２２】
この冊子１０の冊子本体１１及び申込書１２は、大豆の成分が含まれる大豆油インキ（植物系のインキ）によって各情報が印刷されている。
大豆油インキとは、一般の印刷インキに含まれる石油系溶剤の代わりに、大豆油を用いたインキである。
【００２３】
次に、本実施例の冊子１０の製造方法及び使用方法を説明する。
まず、冊子本体１１用の４つの紙片１１−１〜１１−４を用意する。
ついで、４つの紙片１１−１〜１１−４に水系ライン糊１１ａを塗布する。
さらに、紙片１１−４に再剥離糊１３を塗布する。
そして、水系ライン糊１１ａを水で湿らせ、各紙片を綴じ合わせ、中央で２つ折りにし、冊子本体１１を完成させる。
【００２４】
このようにして、冊子本体１１が完成したら、この冊子本体１１は、各販売店に配送される。
各販売店は、独自の申込書１２を挿入し、申込書１２の左端部と再剥離糊１３とを接着させ、冊子１０を完成させる。
最後に、冊子１０をキャンペーン会場等で配布し、冊子１０を受け取った生活者は、冊子１０から申込書１２を取り出して確認する。
【００２５】
このように、本実施例によれば、再剥離糊１３によって申込書１２を仮止めしているので、従来のポケット部を形成する必要がなくなり、挿入時には引っ掛かりがなくなるため、申込書１２を挿入しやすく、申込書１２を仮止めした後には、不用意な脱落も防止でき、また、冊子本体１１に再剥離糊１３を塗布する簡易な構造であるので、製造コストも抑えることができる。
【００２６】
また、冊子本体１１と申込書１２とを別体化することにより、状況に応じた使用材料の選定ができる。例えば、冊子本体１１にはマット系コート紙を用い、記入や捺印が必要な申込書１２には上質紙を用いたり、また、いずれか一方又は両方に、古紙１００％の再生紙を用いたりすることができる。
【００２７】
さらに、冊子本体１１は、水系ライン糊１１ａによって綴じ合わされているので、綴じ合わせ手段として針金を使用しておらず、環境にやさしい。
【００２８】
さらにまた、大豆油インキを使用して、冊子本体１１及び申込書１２に各情報を印刷しているので、植物系のインキの使用によって一般のインキよりも分離しやすく、リサイクルに適している。
【００２９】
（変形例）
以上説明した実施例に限定されることなく、種々の変形や変更が可能であって、それらも本発明の均等の範囲内である。
（１）所定の形状に積み重ねられた冊子本体の例で説明したが、所定の形状に折り畳まれた冊子本体としてもよい。
（２）再剥離糊１３を使用時（申込書１２挿入時）まで保護し、剥離性を有する剥離紙（保護シート）を別途用意してもよい。このようにすれば、使用前までに、再剥離糊１３がベタつくことを防止でき、また、この剥離紙を各販売店で分離することを想定している紙片（例えば、お店控え等）として兼用すれば、より使い勝手がよくなる。
（３）冊子本体１１の綴じ合わせは、水系ライン糊１１ａの例で説明したが、ホットメルトやヒートシールと呼ばれる加熱系の接着手段を用いてもよい。これらは、固形分１００％であるので、大気に放出される有機溶剤がなく、環境にやさしい。
（４）大豆油インキによって各情報を印刷する例で説明したが、石油系溶剤を含んでおらず、大豆油が添加されており、固形分が略１００％のＵＶ（紫外線）インキによって各情報を印刷してもよい。
【図面の簡単な説明】
【００３０】
【図１】本発明による冊子の実施例を示す図である。
【符号の説明】
【００３１】
１０  冊子
１１  冊子本体
１１−１〜１１−４  紙片
１１ａ  水系ライン糊
１２  申込書
１３  再剥離糊
【図１】
2005305716.tif 000003